(57)【要約】【課題】  ディスク状記憶媒体の搬送姿勢を、部品点数の増加および装置本体の大型化を招くことなく安定化させる。【解決手段】  装置本体前面のディスク挿入口５から挿入されたディスク状記憶媒体４を挟持して搬送するディスク搬送保持部材１０と、このディスク搬送保持部材によって搬送されてきたディスク状記憶媒体を保持可能な第１ディスク保持部材２０と、所定位置に挿入されたディスク状記憶媒体の後端部を保持可能な第２ディスク保持部材である係合アーム部３３と、ディスク状記憶媒体が第１ディスク保持部材に安定保持されるように該ディスク状記憶媒体の搬送姿勢を規制するディスク規制保持部材３０とを有し、ディスク状記憶媒体の搬送姿勢の安定化を図る。【選択図】        図９
2005085440.tif 000002
【特許請求の範囲】
【請求項１】
ディスク挿入口から挿入されるディスク状記憶媒体を挟持して装置本体内方に搬送するディスク搬送保持部材と、
前記ディスク搬送保持部材によって搬送されてきた前記ディスク状記憶媒体の前端部を保持可能な第１ディスク保持部材と、
前記装置本体内方の所定位置に搬送された前記ディスク状記憶媒体の後端部を保持可能な第２ディスク保持部材と、
前記ディスク状記憶媒体が前記第１ディスク保持部材に安定保持されるように該ディスク状記憶媒体の搬送姿勢を規制するディスク規制保持部材とを備えたディスク装置。
【請求項２】
ディスク規制保持部材は、ディスク挿入口とディスク搬送保持部材との間であって、前記ディスク挿入口の近傍に設けられていることを特徴とする請求項１記載のディスク装置。
【請求項３】
ディスク規制保持部材は、回動軸に回動自在に支持した第２ディスク保持部材の基端部に、ディスク状記憶媒体片面に係合して該ディスク状記憶媒体の搬送姿勢を規制するように形成した係合突部であることを特徴とする請求項１又は請求項２記載のディスク装置。
【発明の詳細な説明】
【技術分野】
【０００１】
本発明は、ＣＤやＤＶＤ等のディスク状記憶媒体（以下、単にディスクと略称する）に記憶された情報信号を再生するディスク装置、特にディスク挿入口から挿入されたディスク状記憶媒体の搬送姿勢を規制可能なディスク装置に関する。
【背景技術】
【０００２】
この種のディスク装置は、一般に筐体の前面に形成されたディスク挿入口から挿入されるディスクを、ガイド部材と回転ローラとで挟持して装置本体内方に搬送するディスク搬送手段と、ディスクの搬送方向前端部が遊嵌可能な第１ディスク保持手段と、ディスク挿入口の内面近傍に設けられディスクの搬送方向後端部が遊嵌可能な第２ディスク保持手段とを有しており、ディスク挿入口から挿入されたディスクは、ディスク搬送手段によって装置本体内方へと搬送される。
【０００３】
ディスク搬送手段によって搬送されてきたディスクは、その前端部が第１保持手段に遊嵌することにより該前端部が保持される。ディスク搬送手段による搬送により、ディスクが所定の位置に達するとディスクの搬送は停止する。すると第２ディスク保持手段がディスクと同じ線状に移動し、ディスクの後端部外周縁に係合して第１ディスク保持手段とともにディスクを保持する。その後、ディスク搬送手段はディスクの挟持を解除して前方の元の位置に移動するとともに、第１保持手段および第２保持手段によって保持されたディスク位置にディスク再生機構部が移動して来る。
【０００４】
なお、関連技術を開示する特許文献１には、ディスク挿入口の両側に、ディスクの上面側の左右周縁部に摺接するフェルトと、フェルトを保持するとともにディスクの下面側の左右周縁部に摺接する押圧部材とからなるディスク支持機構を設けることにより、ディスク厚さの大小にかかわらず上下方向から挟持されるようにしてディスクの安定支持を図るとともに、ディスク支持機構がディスクの記録面に摺接しないようにして記録面に傷が付くことを防止可能な技術が示されている。
【０００５】
また、特許文献２には、ディスク挿入口の前方にて移動可能とされたガイドブラケットを装置本体に回動可能に支持して、このガイドブラケットにディスクの外周縁をガイドするため中央側を凹とした円弧状のディスクガイドを設けることにより、ディスクの外周縁のみがディスクガイドに摺接し、その内側がディスクガイドに接触することがないようにしてディスク情報記憶面の傷付き防止を図った発明が開示されている。
【０００６】
【特許文献１】特開平１１−１２０６５８号公報
【特許文献２】特開平１１−３０６６３０号公報
【発明の開示】
【発明が解決しようとする課題】
【０００７】
一般に上記のようなディスク装置では、ディスク挿入口から挿入されたディスクを搬送してその前端部を第１搬送手段に遊嵌保持させるのであるが、この遊嵌保持させるまでのディスクの搬送機構の構造上、ディスクは前方斜め下に向け傾斜する傾向があるため、ディスクをそのまま前方に搬送した場合には、ディスクの前端部が第１保持手段に設けられた凹部に嵌合されないという課題があった。
【０００８】
そこで、従来では、回転ローラと対向する位置に設けられたガイド部材に、ディスクの片面に対して摺動自在に当接する前後一対の凸部を互いに所定間隔をおいて設け、これら一対の凸部の高低差によってディスクの前後方向における傾斜角度を規制することでディスク後端部が第１保持手段に安定に保持されるようにしていた。
【０００９】
しかしながらディスクと当接する一対の凸部間の距離は、ディスクの外径に比較して極端に短く、このためそれぞれの凸部の高さに寸法上のバラツキが生じた場合には、このバラツキが拡大されてディスクの傾斜角度が大きくなるため、凸部を設けたにもかかわらずディスクの前端部が第１保持手段に設けられた凹部に嵌合されないという課題があった。
【００１０】
本発明は、上記のような課題を解決するためになされたもので、部品点数を増加させることなく、しかも装置全体の薄型化および小型化を図りつつ、ディスクの搬送姿勢の安定化を図るディスク装置を得ることを目的とする。
【課題を解決するための手段】
【００１１】
本発明に係るディスク装置は、ディスク挿入口から挿入されるディスク状記憶媒体を挟持して装置本体内方に搬送するディスク搬送保持部材と、前記ディスク搬送保持部材によって搬送されてきた前記ディスク状記憶媒体の前端部を保持可能な第１ディスク保持部材と、前記装置本体内方の所定位置に搬送された前記ディスク状記憶媒体の後端部を保持可能な第２ディスク保持部材と、前記ディスク状記憶媒体が前記第１ディスク保持部材に安定保持されるように該ディスク状記憶媒体の搬送姿勢を規制するディスク規制保持部材とを備えたものである。
【発明の効果】
【００１２】
本発明は、ディスク状記憶媒体の搬送姿勢の規制をディスク搬送保持部材に加えてディスク規制保持部材によっても行うため、ディスク状記憶媒体は第１ディスク保持部材に確実に保持される。また、ディスク規制保持部材はディスク状記憶媒体の保持搬送にも兼用されるため部品点数の増加を招くことなくディスク状記憶媒体の搬送姿勢の安定化を図ることができる。さらに、ディスク規制保持部材とディスク搬送保持部材との間に距離を設定することができるため、装置全体の薄型化および小型化を図ることができる。
【発明を実施するための最良の形態】
【００１３】
実施の形態１．
図１から図４はディスク装置本体にディスクを挿入する前の状態を示すもので、装置本体１を構成する筐体２は板金等から作製されており、筐体２の前面を形成する前パネル３にはディスク４を挿入するためのディスク挿入口５が形成されている。ディスク挿入口５は図示しないシャッターにより開閉可能とされていて、ディスク４の挿入およびイジェクト時以外は閉じられるようになっている。
【００１４】
ディスク搬送保持部材１０は、ゴム等の弾性体から形成された回転ローラ１１と、該回転ローラの上方に位置する案内部材１２とを主たる構成要素とする。回転ローラ１１と案内部材１２とは、Ｘ字状に形成された第１リンク機構１３を介して前パネル３に対し接近離間自在に取付けられた第１支持枠体１４に設けられている。この支持枠体１４は左右両側板１５と上下両側板１６とから形成され、回転ローラ１１の両端部は左右両側板１５に回転自在に軸支され、一方案内部材１２は、下面にゴム等の弾性体が形成された上側板１６によって構成されている。
【００１５】
回転ローラ１１は図示しない機構により上下動自在に構成されており、この上下動により回転ローラ１１は案内部材１２に対して接近離間可能となっている。
第１ディスク保持部材２０は、Ｘ字状に形成された第２リンク機構２１を介して後パネル２２に対し接近離間自在に取付けられた第１支持枠体２４から構成されており、この支持枠体２４にはディスク４の後端部が遊嵌可能な凹部２３が形成されている。
【００１６】
ディスク規制保持部材３０は、前パネル３内面の一側に設けられた回動軸３１に取付けられており、この回動軸３１は接合片３２を後方へ突出している。接合片３２の上面には、へ字状に形成された第２ディスク保持部材である係合アーム部３３の基端部が接合されている。係合アーム部３３の先端部はディスク４の後端部外周縁に係合可能に形成されている。係合アーム部３３が接合された回動軸３１に対する取付部は上下動可能であることから、係合アーム部３３も上下動可能であり、上限位置では係合アーム部３３はディスク挿入口５よりも上方に位置し、下限位置ではディスク４とほぼ同等の高さに位置する。
【００１７】
また、接合片３２にはディスク４の上面に係合可能な係合突部３４が設けられている。この係合突部３４はディスク４の上面に係合可能であれば形状につき特に限定はないが、本実施の形態では、接合片３２の肉厚を厚くすることによって係合突部３４を構成する。
【００１８】
次に作用について説明する。
図５から図７に示すように、ディスク４をシャッターが開いたディスク挿入口５から挿入すると、これを図示しない検知センサが検知して駆動モータ（図示せず）を駆動させることによりギア機構（図示せず）を介して回転ローラ１１を回転駆動させつつ案内部材１２との間に挟持されると、ディスク４は回転ローラ１１の駆動力により装置本体内方に搬送させられて、ディスク前端部が第１支持枠体２４の凹部２３に遊嵌保持される。
【００１９】
一方、図８から図１１に示すようにディスク４は回転ローラ１１と案内部材１２との間に挟持されてから第１支持枠体２４に遊嵌保持されるまでの間に、ディスク規制保持部材３０の接合片３２に形成された係合突部３４に係合することにより、ディスク４の後方への傾斜が規制されているため、ディスク４は第１支持枠体２４の凹部２３へ確実に保持される。
【００２０】
ディスク４が第２支持枠体２４に保持されると、図１１から図１３に示すように第１支持枠体２４はディスク４に押されて後方へと移動させられる。そしてディスク４が搬送されて所定の位置に達したところで回転ローラ１１の回転駆動は停止する。するとディスク規制保持部材３０が図１４から図１６に示すように下降し、さらに図１７から図１９に示すように係合アーム部３３がディスク４方向に回動することによりディスク後端部の外周縁に係合する。
【００２１】
次いで、回転ローラ１１が案内部材１２から下方に離間した後、図２０から図２２に示すように第１支持枠体１４は前方に移動するため、これ以降ディスク４は第１ディスク保持部材２０とディスク規制保持部材３０とによってのみ保持されることになる。この後これら両部材２０，３０によってディスク４は図示しない再生機構部へと搬送される。なお、ディスク４のイジェクトは上記と逆の動作で行われる。
【図面の簡単な説明】
【００２２】
【図１】本発明に係るディスク装置を示すもので、ディスク挿入前の状態を示す分解斜視図である。
【図２】図１の一部を省略した分解斜視図である。
【図３】図２を側方から見た右側面図である。
【図４】図２を下方から見た下面図である。
【図５】ディスクの一部挿入状態を示す図である。
【図６】図５を側方から見た右側面図である。
【図７】図５を下方から見た下面図である。
【図８】ディスクのさらなる挿入状態を示す図である。
【図９】図８を側方から見た右側面図である。
【図１０】図８を下方から見た下面図である。
【図１１】第２ディスク搬送保持部材の移動状態を示す図である。
【図１２】図１１を側方から見た右側面図である。
【図１３】図１１を下方から見た下面図である。
【図１４】ディスク規制保持部材の下降状態示す図である。
【図１５】図１４を側方から見た右側面図である。
【図１６】図１４を下方から見た下面図である。
【図１７】ディスク規制保持部材の回動状態を示す図である。
【図１８】図１７を側方から見た右側面図である。
【図１９】図１７を下方から見た下面図である。
【図２０】第１ディスク搬送保持部材がディスクから離間した状態を示す図である。
【図２１】図２０を側方から見た右側面図である。
【図２２】図２０を下方から見た下面図である。
【符号の説明】
【００２３】
１  装置本体、４  ディスク状記憶媒体、５  ディスク挿入口、１０  ディスク搬送保持部材、２０  第１ディスク保持部材、３０  ディスク規制保持部材、３１  回動軸、３３  係合アーム部（第２ディスク保持部材）、３４  係合突部。
【図１】
2005085440.tif 000003
【図２】
2005085440.tif 000004
【図３】
2005085440.tif 000005
【図４】
2005085440.tif 000006
【図５】
2005085440.tif 000007
【図６】
2005085440.tif 000008
【図７】
2005085440.tif 000009
【図８】
2005085440.tif 000010
【図９】
2005085440.tif 000011
【図１０】
2005085440.tif 000012
【図１１】
2005085440.tif 000013
【図１２】
2005085440.tif 000014
【図１３】
2005085440.tif 000015
【図１４】
2005085440.tif 000016
【図１５】
2005085440.tif 000017
【図１６】
2005085440.tif 000018
【図１７】
2005085440.tif 000019
【図１８】
2005085440.tif 000020
【図１９】
2005085440.tif 000021
【図２０】
2005085440.tif 000022
【図２１】
2005085440.tif 000023
【図２２】
2005085440.tif 000024